(57)【要約】【課題】口金に対してガイドパイプの先端を位置精度良くかつ強固に作業性良く固定することができる内視鏡を提供する。【解決手段】湾曲部と、可撓管部と、可撓管部の先端に設けられた口金１の前半部２と、前半部２の外周部２ｇの一部が内側に折り曲げられることにより前半部２の内周面２ｎよりも内側に突出するとともに、周方向Ｃにおいて一方２ｈａが他方２ｈｂに対して設定間隔離間して対向する一対の折り曲げ片２ｈと、先端が湾曲部の先端に固定された湾曲部を湾曲させるワイヤと、ワイヤが進退自在に内部に挿通されるとともに、一対の折り曲げ片２ｈ間に周方向Ｃにおいて挟まれたガイドパイプ５と、を具備し、ガイドパイプ５は、一対の折り曲げ片２ｈへの各接触部位５ｓが一対の折り曲げ片２ｈに接合されることにより、一対の折り曲げ片２ｈのそれぞれに固定されている。【選択図】図３
2013223655.tif 000002
【特許請求の範囲】
【請求項１】
被検体内に挿入される細長な挿入部を具備する内視鏡であって、
前記挿入部の挿入方向の先端側に設けられた湾曲部と、
前記挿入部において、前記湾曲部の挿入方向の基端に連設された可撓管部と、
前記可撓管部の前記挿入方向の先端に設けられた、前記湾曲部と前記可撓管部とを前記挿入方向に沿って連結する筒状の口金と、
前記口金の外周部の一部が前記挿入部の径方向内側に折り曲げられることにより前記口金の内周面よりも前記径方向の内側に突出するとともに、前記挿入部の周方向において一方が他方に対して設定間隔離間して対向する一対の折り曲げ片と、
前記挿入部内に挿通されるとともに前記挿入方向の先端が前記湾曲部の前記挿入方向の先端に固定された、牽引によって前記湾曲部を湾曲させるワイヤと、
前記ワイヤが前記挿入部の挿入方向に対して進退自在に内部に挿通されるとともに、前記一対の折り曲げ片間に前記周方向において挟まれたガイドパイプと、
を具備し、
前記ガイドパイプは、前記一対の折り曲げ片への各接触部位が前記一対の折り曲げ片に接合されることにより、前記一対の折り曲げ片のそれぞれに固定されていることを特徴とする内視鏡。
【請求項２】
前記接合は、前記一対の折り曲げ片の形成により前記口金の前記外周部に形成された開口を介した、溶剤を用いた溶接による溶着であることを特徴とする請求項１に記載の内視鏡。
【請求項３】
前記接合は、前記一対の折り曲げ片の形成により前記口金の前記外周部に形成された開口を介したロウ接によるロウ着であることを特徴とする請求項１に記載の内視鏡。
【請求項４】
被検体内に挿入される細長な挿入部を具備する内視鏡の製造方法であって、
前記挿入部の挿入方向の先端側に設けられた湾曲部の挿入方向の基端に連設される可撓管部の前記挿入方向の先端に、前記湾曲部と前記可撓管部とを前記挿入方向に沿って連結する筒状の口金を設ける工程と、
前記口金の外周部の一部を前記挿入部の径方向内側に折り曲げることにより、前記口金の内周面よりも前記径方向内側に突出するとともに、前記挿入部の周方向において一方が他方に対して設定間隔離間して対向する一対の折り曲げ片を前記口金に形成する工程と、
前記挿入部内に挿通されるとともに前記挿入方向の先端が前記湾曲部の前記挿入方向の先端に固定された、牽引によって前記湾曲部を湾曲させるワイヤが、前記挿入部の挿入方向に対して進退自在に内部に挿通されるガイドパイプを、前記一対の折り曲げ片間に前記周方向において挟む工程と、
前記ガイドパイプの前記一対の折り曲げ片への各接触部位を、前記一対の折り曲げ片に接合することにより、前記ガイドパイプを前記一対の折り曲げ片のそれぞれに固定する工程と、
を具備していることを特徴とする内視鏡の製造方法。
【請求項５】
前記接合は、前記一対の折り曲げ片の形成により前記口金の前記外周部に形成された開口を介した、溶剤を用いた溶接により行うことを特徴とする請求項４に記載の内視鏡の製造方法。
【請求項６】
前記接合は、前記一対の折り曲げ片の形成により前記口金の前記外周部に形成された開口を介したロウ接により行うことを特徴とする請求項４に記載の内視鏡の製造方法。
【発明の詳細な説明】
【技術分野】
【０００１】
本発明は、被検体内に挿入される細長な挿入部を具備する内視鏡、内視鏡の製造方法に関する。
【背景技術】
【０００２】
近年、内視鏡は、医療分野及び工業用分野において広く利用されている。医療分野において用いられる内視鏡は、細長い挿入部を被検体となる体腔内に挿入することによって、体腔内の臓器を観察したり、必要に応じて内視鏡が具備する処置具の挿通チャンネル内に挿入した処置具を用いて各種処置をしたりすることができる。
【０００３】
また、工業用分野において用いられる内視鏡は、内視鏡の細長い挿入部をジェットエンジン内や、工場の配管等の被検体内に挿入することによって、被検体内の被検部位の傷及び腐蝕等の観察や各種処置等の検査を行うことができる。
【０００４】
ここで、内視鏡の挿入部の挿入方向の先端側（以下、単に先端側と称す）に、複数方向に湾曲自在な湾曲部が設けられた構成が周知である。湾曲部は、管路内の屈曲部における挿入部の進行性を向上させる他、挿入部において、湾曲部よりも先端側に連設された先端部に設けられた観察光学系の観察方向を可変させる。
【０００５】
通常、内視鏡の挿入部に設けられた湾曲部は、複数の湾曲駒が挿入部の挿入方向に沿って連結されることにより、例えば上下左右の４方向に湾曲自在となるよう構成されており、湾曲駒の内、最も先端側に位置する湾曲駒に挿入方向の先端（以下、単に先端と称す）が固定された挿入部内に挿通された４本のワイヤのいずれかが操作部から牽引操作されることにより、上下左右のいずれかの方向に湾曲自在となっている。
【０００６】
ところで、挿入部において、湾曲部よりも挿入方向の基端（以下、単に基端と称す）に連設された可撓管部内では、上述した例えば４本のワイヤは、可撓管部内に挿通されたコイルパイプ等から構成された４本のガイドパイプ内にそれぞれ挿通された構成が周知である。尚、各ガイドパイプ内においては、各ワイヤは、挿入方向の前後に進退自在に挿通されている。
【０００７】
ガイドパイプは、可撓管部内において挿入部の周方向やガイドパイプの捩れ方向におけるワイヤ位置を規定する他、ワイヤが可撓管部の内蔵物に接触してしまうことを防ぐとともに、ワイヤの牽引に伴って湾曲部が湾曲する際、可撓管部にも付与されてしまう湾曲力に抗することにより可撓管部までもが湾曲されてしまうのを防ぐ部材である。
【０００８】
よって、ガイドパイプは、湾曲力に抗するため、挿入部内において先端及び基端が固定されている。尚、ガイドパイプの先端は、湾曲部を該湾曲部の基端から湾曲させるため、挿入方向における湾曲部と可撓管部との境、具体的には、挿入方向に沿って湾曲部と可撓管部とを連結する筒状の口金の外周部の内周面（以下、単に口金の内周面と称す）に固定されている。
【０００９】
ここで、口金の内周面にガイドパイプの先端を固定する際、既知のロウ接または溶接を用いる構成及び手法が周知である。
【００１０】
図６は、口金の内周面にガイドパイプの先端がロウ接または溶接により固定された状態を概略的に示す平面図、図７は、図６中のVII−VII線に沿う口金及びガイドパイプの先端側の断面図である。
【００１１】
具体的には、図６及び図７に示すように、口金１００の内周面１００ｎにガイドパイプ１５０の先端を固定する際、ガイドパイプ１５０の外周の一部を口金１００の内周面１００ｎに接触させた後、該接触部位１５０ｓに対してロウ接または溶接を行うことによってロウ剤１６０または溶剤１７０により内周面１００ｎに接触部位１５０ｓを接合させて固定を行う構成及び手法が周知である。
【００１２】
しかしながら、上述したロウ接または溶接作業には高技能が要求されるため、ロウ接または溶接後の固定品質が作業毎に安定しないといった問題もあった。
【００１３】
さらに、ロウ接を行う際は、ロウ剤１６０の付着性を向上させるため、既知のフラックスを事前に固定部位に塗布する手法が周知であるが、フラックスは腐食性が高いため、ロウ接後、洗浄によって除去しなければならず生産性が悪いといった問題もあった。
【００１４】
また、図６の２点鎖線に示すように、ロウ接後、ロウ剤１６０が流れてしまうと、可撓管部内の他の内蔵物にロウ剤１６０が接触してしまうことから、通常はロウ接後、流れ出た不要なロウ剤を既知のヤスリがけまたはスクレイパを用いた加工等によって除去する必要があるため、さらに生産性が悪いといった問題もあった。
【００１５】
このような問題に鑑み、特許文献１には、口金の外周部に口金の内部と外部とを貫通する貫通孔を設けるとともに、口金の内部と外部とにそれぞれ電極を設け、各電極間に電力を付与することによってアーク柱を発生させてガイドパイプの先端を溶融させることにより、ガイドパイプの先端を口金の貫通孔に溶融して固定する方法及び構成が開示されている。  
【先行技術文献】
【特許文献】
【００１６】
【特許文献１】特開２００２−１９１５５０号公報
【発明の概要】
【発明が解決しようとする課題】
【００１７】
しかしながら、特許文献１に開示された固定構造及び固定方法では、ガイドパイプ内に電極を設けなければならず作業性が悪いといった問題があった。
【００１８】
また、特許文献１では、単に口金の内周面にガイドパイプの先端を、溶融により固定する手法であることから、口金に対するガイドパイプの先端の周方向及びガイドパイプの捩れ方向における位置決めを精度良く行うことが難しいといった問題があった。
【００１９】
さらに、特許文献１では、口金の内周面の貫通孔が形成された部位に対してガイドパイプの外周は１点のみで接触しており、該接触部位を溶融により固定する構成及び手法であることから、接合面積が小さいため十分な固定強度を得ることができず、接合後、ガイドパイプの固定位置がずれやすいといった問題もあった。
【００２０】
本発明は、上記問題点に鑑みなされたものであり、口金に対してガイドパイプの先端を位置精度良くかつ強固に作業性良く固定することができる内視鏡、内視鏡の製造方法を提供することを目的とする。
【課題を解決するための手段】
【００２１】
上記目的を達成するため本発明の一態様における内視鏡は、被検体内に挿入される細長な挿入部を具備する内視鏡であって、前記挿入部の挿入方向の先端側に設けられた湾曲部と、前記挿入部において、前記湾曲部の挿入方向の基端に連設された可撓管部と、前記可撓管部の前記挿入方向の先端に設けられた、前記湾曲部と前記可撓管部とを前記挿入方向に沿って連結する筒状の口金と、前記口金の外周部の一部が前記挿入部の径方向内側に折り曲げられることにより前記口金の内周面よりも前記径方向の内側に突出するとともに、前記挿入部の周方向において一方が他方に対して設定間隔離間して対向する一対の折り曲げ片と、前記挿入部内に挿通されるとともに前記挿入方向の先端が前記湾曲部の前記挿入方向の先端に固定された、牽引によって前記湾曲部を湾曲させるワイヤと、前記ワイヤが前記挿入部の挿入方向に対して進退自在に内部に挿通されるとともに、前記一対の折り曲げ片間に前記周方向において挟まれたガイドパイプと、を具備し、前記ガイドパイプは、前記一対の折り曲げ片への各接触部位が前記一対の折り曲げ片に接合されることにより、前記一対の折り曲げ片のそれぞれに固定されている。
【００２２】
また、本発明の一態様における内視鏡の製造方法は、被検体内に挿入される細長な挿入部を具備する内視鏡の製造方法であって、前記挿入部の挿入方向の先端側に設けられた湾曲部の挿入方向の基端に連設される可撓管部の前記挿入方向の先端に、前記湾曲部と前記可撓管部とを前記挿入方向に沿って連結する筒状の口金を設ける工程と、前記口金の外周部の一部を前記挿入部の径方向内側に折り曲げることにより、前記口金の内周面よりも前記径方向内側に突出するとともに、前記挿入部の周方向において一方が他方に対して設定間隔離間して対向する一対の折り曲げ片を前記口金に形成する工程と、前記挿入部内に挿通されるとともに前記挿入方向の先端が前記湾曲部の前記挿入方向の先端に固定された、牽引によって前記湾曲部を湾曲させるワイヤが、前記挿入部の挿入方向に対して進退自在に内部に挿通されるガイドパイプを、前記一対の折り曲げ片間に前記周方向において挟む工程と、前記ガイドパイプの前記一対の折り曲げ片への各接触部位を、前記一対の折り曲げ片に接合することにより、前記ガイドパイプを前記一対の折り曲げ片のそれぞれに固定する工程と、を具備している。
【発明の効果】
【００２３】
本発明によれば、口金に対してガイドパイプの先端を位置精度良くかつ強固に作業性良く固定することができる内視鏡、内視鏡の製造方法を提供することができる。
【図面の簡単な説明】
【００２４】
【図１】本実施の形態の内視鏡の構成を概略的に示す図
【図２】図１の口金を、ガイドパイプの先端側とともに拡大して示す斜視図
【図３】図２の口金及びガイドパイプを図２中のIII方向からみた平面図
【図４】図３中のIV-IV線に沿う口金及びガイドパイプの先端側の断面図
【図５】図４のガイドパイプの先端及び一対の折り曲げ片を斜めに切断した変形例を示す、図３中のV-V線に沿う断面図
【図６】口金の内周面にガイドパイプの先端がロウ接または溶接により固定された状態を概略的に示す平面図
【図７】図６中のVII−VII線に沿う口金及びガイドパイプの先端側の断面図
【発明を実施するための形態】
【００２５】
以下、図面を参照して本発明の実施の形態を説明する。 図１は、本実施の形態の内視鏡の構成を概略的に示す図である。
【００２６】
図１に示すように、内視鏡１０は、被検体内に挿入される細長な挿入部５０と、該挿入部５０の基端に連設された操作部６０と、該操作部６０から延出されたユニバーサルコード７０と、該ユニバーサルコード７０の延出端に設けられた外部装置に接続自在な図示しないコネクタとにより主要部が構成されている。
【００２７】
挿入部５０は、先端に位置する先端部２０と、該先端部２０の基端に連設された湾曲部３０と、該湾曲部３０の基端に連設された可撓管部４０とを具備して主要部が構成されている。
【００２８】
湾曲部３０と可撓管部４０とは、可撓管部４０の先端に設けられた筒状の口金１によって、挿入方向Ｓに沿って連結されている。尚、口金１を用いた湾曲部３０と可撓管部４０との接続構造は周知であるためその説明は省略する。また、口金１の詳しい構成は後述する。
【００２９】
湾曲部３０は、操作部６０に設けられた操作部材６０ｓからの入力により、例えば上下左右の４方向に湾曲自在となっている。
【００３０】
具体的には、挿入部５０及び操作部６０内には、例えば４本のワイヤ９が、互いに挿入部５０の周方向Ｃ（図２参照）において、略９０°ずれた状態で挿通されており、各ワイヤ９の先端は、湾曲部３０を構成する複数の湾曲駒の先端に位置する先端駒に固定されており、各基端は操作部材６０ｓに接続されている。
【００３１】
よって、操作部材６０ｓからの入力により、４本のワイヤ９の内、内視鏡画像において上側となるワイヤ９が牽引されると、湾曲部３０は上方向に湾曲され、下側となるワイヤ９が牽引されると、湾曲部３０は下方向に湾曲され、右側となるワイヤ９が牽引されると、湾曲部３０は右方向に湾曲され、左側となるワイヤ９が牽引されると、湾曲部３０は左方向に湾曲される。
【００３２】
尚、各ワイヤ９は、操作部材６０ｓによって牽引弛緩されることから、挿入部５０内において挿入方向Ｓの前後に進退移動自在となっている。また、ワイヤ９の本数は、４本に限定されない。
【００３３】
また、可撓管部４０内に、各ワイヤ９が内部に挿入方向Ｓにおいて進退自在に挿通されるとともに、先端が口金１に固定されるとともに基端が操作部６０内に固定された、ワイヤ９毎に、即ち４本のガイドパイプ５が設けられている。
【００３４】
尚、ガイドパイプ５は、例えばステンレスから形成されたコイルパイプから構成されている。また、ガイドパイプ５の本数は、ワイヤ９の本数と一致していれば良いことから、４本に限定されない。また、ガイドパイプを形成する材料もステンレスに限定されない。
【００３５】
ガイドパイプ５は、可撓管部４０内において周方向Ｃやガイドパイプ５の捩れ方向におけるワイヤ９の位置を規定する他、ワイヤ９が可撓管部４０の内蔵物に接触してしまうことを防ぐとともに、ワイヤ９の牽引に伴って湾曲部３０が湾曲する際、可撓管部４０にも付与されてしまう湾曲力に抗することにより可撓管部４０までもが湾曲されてしまうのを防ぐ部材である。
【００３６】
尚、その他の内視鏡１０の構成は周知であるため、説明は省略する。また、上述した内視鏡１０の構成はあくまでも一例であり、上述の構成に限定されないことは勿論である。
【００３７】
次に、図１の口金１の構成及び口金１へのガイドパイプ５の先端の固定構造について、図２〜図４を用いて説明する。
【００３８】
図２は、図１の口金を、ガイドパイプの先端側とともに拡大して示す斜視図、図３は、図２の口金及びガイドパイプを図２中のIII方向からみた平面図、図４は、図３中のIV-IV線に沿う口金及びガイドパイプの先端側の断面図である。尚、図２〜図４においては、図面を簡略化するためワイヤ９を省略して示している。
【００３９】
図２〜図４に示すように、口金１は、先端側に位置する前半部２と、該前半部２の基端に連設された前半部２よりも太径な後半部３とから主要部が構成されており、例えばステンレスから筒状に形成されている。尚、口金１の前半部２と後半部３とは同径に形成されていても構わない。また、口金１を形成する材料もステンレスに限定されない。
【００４０】
口金１の前半部２の外周部２ｇにおいて、周方向Ｃにおいて略９０°ずれた位置、具体的には、内部に挿通される４本のガイドパイプ５にそれぞれ重なる位置に、前半部２の先端から挿入方向Ｓの後方（以下、単に後方と称す）に所定の長さを有する直線状に切り込みがそれぞれ４つ形成されている。
【００４１】
また、前半部２の各切り込みにおいて、該切り込みの周方向Ｃの両側部に位置する外周部２ｇが、挿入部５０の径方向Ｋの内側にそれぞれ折り曲げられることにより、前半部２には、該前半部２の内周面２ｎよりも径方向Ｋの内側に突出するとともに、周方向Ｃにおいて一方２ｈａが他方２ｈｂに対して設定間隔離間して対向する一対の折り曲げ片２ｈが形成されている。
【００４２】
尚、各一対の折り曲げ片２ｈは、前半部２に形成された上述した４つの各切り込みを起点に形成されていることから、各切り込みと同様に、前半部２において周方向Ｃにおいて略９０°ずれた位置に４つ形成されている。
【００４３】
また、前半部２の外周部２ｇにおいて、各一対の折り曲げ片２ｈが形成された位置に、切り込みを介して一対の折り曲げ片２ｈが形成されたことに起因して、該切り込みに沿って前半部２の内部と外部とを径方向Ｋに連通する開口２ｋがそれぞれ形成されている。即ち、開口２ｋも一対の折り曲げ片２ｈと同様に、前半部２において周方向Ｃにおいて略９０°ずれた位置に４つ形成されている。
【００４４】
尚、上述した前半部２に形成される切り込み、一対の折り曲げ片２ｈ、開口２ｋは、４つに限定されず、可撓管部４０内に挿通されたガイドパイプ５と同数形成されていれば良い。
【００４５】
また、各一対の折り曲げ片２ｈにおいて、周方向Ｃにおける一方２ｈａと他方２ｈｂとの設定間隔は、ガイドパイプ５の外径と同じかガイドパイプ５の外径よりも若干小さく設定されている。
【００４６】
ここで、図２、図３に示すように、一対の折り曲げ片２ｈにおいて、一方２ｈａと他方２ｈｂとの間に、ガイドパイプ５の、例えば先端が挟み込まれて固定されている。
【００４７】
具体的には、図３に示すように、ガイドパイプ５の外周において一対の折り曲げ片２ｈに挟まれて接触する部位、即ち、一方２ｈａと他方２ｈｂとに接触する各接触部位５ｓが、一方２ｈａ及び他方２ｈｂに対して、上述した開口２ｋを介して行われるロウ剤６を用いたロウ接によるロウ着または溶剤７を用いた溶接による溶着により、一対の折り曲げ片２ｈそれぞれに対して接合されて固定されている。
【００４８】
尚、ロウ接としては、既知のロウ付けや、半田付け等が挙げられる。また、ガイドパイプ５の先端は、一対の折り曲げ片２ｈの一方２ｈａ及び他方２ｈｂへの各接触部位５ｓが接合固定されていることから、前半部２の内部への進入経路が塞がれているため、開口２ｋ近傍のロウ剤６や溶剤７が前半部２の内部へと流れ込んでしまうことが防止されている。
【００４９】
次に、本実施の形態の作用、即ち、口金１に対してガイドパイプ５の先端を固定する方法について簡単に説明する。
【００５０】
先ず、可撓管部４０の先端に対して、可撓管部４０と湾曲部３０とを挿入方向Ｓに沿って連結する口金１を設ける。
【００５１】
次いで、口金１の前半部２の外周部２ｇに対し、各ガイドパイプ５に重なる周方向Ｃに略９０°ずれた位置に、それぞれ挿入方向Ｓに沿った直線状の４つの切り込みを、前半部２の先端から後方へ所定の長さと形成する。
【００５２】
その後、各切り込み部における周方向Ｃの両側部に位置する外周部２ｇを、挿入部５０の径方向Ｋの内側にそれぞれ折り曲げることにより、前半部２に対し、該前半部２の内周面２ｎよりも径方向Ｋの内側に突出するとともに、周方向Ｃにおいて一方２ｈａが他方２ｈｂに対して設定間隔離間して対向する一対の折り曲げ片２ｈを４つ形成する。
【００５３】
その後、可撓管部４０内に挿通されるとともに先端が湾曲部３０の先端に固定された４本のワイヤ９が挿入方向Ｓに対して進退自在に内部にそれぞれ挿通される４本のガイドパイプ５の、例えば先端を、各一対の折り曲げ片２ｈ間に周方向Ｃにおいて挟む。
【００５４】
最後に、各ガイドパイプ５の各一対の折り曲げ片２ｈにおける一方２ｈａ及び他方２ｈｂへの各接触部位５ｓを、前半部２の外周部２ｇに形成された開口２ｋを介した径方向Ｋの外側からの溶剤を用いた溶接またはロウ接によって各一対の折り曲げ片２ｈに接合することにより、各ガイドパイプ５の先端を各一対の折り曲げ片２ｈのそれぞれに固定する。
【００５５】
以上により、ガイドパイプ５の先端は、口金１に固定される。
【００５６】
このように、本実施の形態においては、ガイドパイプ５の先端を、口金１に形成された一対の折り曲げ片２ｈ間に挟んで固定すると示した。
【００５７】
このことによれば、ガイドパイプ５の先端は、一対の折り曲げ片２ｈにおける一方２ｈａ及び他方２ｈｂに対し、少なくとも２点の接触部位５ｓで接触し、該２点の接触部位５ｓが溶接またはロウ接によって接合されることから、従来のように口金の内周面に対して１点でガイドパイプの先端を固定する構造よりも固定箇所が増えるため、良好な接合強度を得ることができる。即ち、確実にガイドパイプ５の先端を口金１に固定することができる。
【００５８】
また、接触部位５ｓが溶接またはロウ接されていることから、溶接またはロウ接に用いた開口２ｋ付近に溜まった溶剤７、ロウ剤６は、口金１の内部への進入経路が塞がれているため、内部に進入してしまうことがない。よって、上述したように、固定後、内部へ流れ出た不要なロウ剤６を除去する必要が無い他、上述したフラックス洗浄も不要となるため、作業性及び生産性が向上する。  
また、前半部２の外周部２ｇにおいて、各一対の折り曲げ片２ｈが形成された位置に、開口２ｋがそれぞれ形成されていることにより、各一対の折り曲げ片２ｈにガイドパイプ５を接合する際、作業者は開口２ｋを介して接合状態を見ながら接合作業を行うことができることから作業性が向上する。
【００５９】
さらに、一対の折り曲げ片２ｈは、口金１に対してガイドパイプ５の固定位置に形成されていることから、ガイドパイプ５の先端は一対の折り曲げ片２ｈに固定するのみにより、周方向Ｃにおいて位置精度良く、ガイドパイプ５の先端を口金１に対して固定することができる。
【００６０】
また、ガイドパイプ５の先端は、一対の折り曲げ片２ｈ間に挟まれて固定されることから、ガイドパイプ５の捩れ方向においても位置精度良く固定することができる。
【００６１】
さらに、ガイドパイプ５の先端を固定する一対の折り曲げ片２ｈも、口金１に切り込みを形成し、該切り込みを介して径方向Ｋの内側に折り曲げるだけで容易に形成することができる。
【００６２】
以上から、口金１に対してガイドパイプ５の先端を位置精度良くかつ強固に作業性良く固定することができる内視鏡、内視鏡の製造方法を提供することができる。
【００６３】
尚、以下、変形例を示す。
【００６４】
本実施の形態においては、ガイドパイプ５の先端は、一対の折り曲げ片２ｈに対して、溶接またはロウ接により接合して固定すると示したが、これに限らず、接着剤を用いた接着固定でも構わないし、圧入や係合による固定媒体物を介さない固定でも構わないことは勿論である。
【００６５】
また、以下、別の変形例を、図５を用いて示す。図５は、図４のガイドパイプの先端及び一対の折り曲げ片を斜めに切断した変形例を示す、図３中のV-V線に沿う断面図である。
【００６６】
上述した本実施の形態においては、図２、図４に示すように、ガイドパイプ５の先端は、径方向Ｋにおいて挿入方向Ｓに直交する方向に沿って直線状を有する端面に形成されているが、この形状においては、ワイヤ９の牽引弛緩に伴って湾曲部３０を湾曲させる際、挿入方向Ｓに進退するワイヤ９がガイドパイプの内側に引っ掛かって擦れやすく、ワイヤ９が損傷しやすくなってしまう可能性があった。
【００６７】
そこで、図５に示すように、ガイドパイプ５の先端の端面は、径方向Ｋの内側から外側に向かうに従い挿入方向Ｓの前方に延出するよう斜めに切断された形状に形成されていても構わない。
【００６８】
さらに、この場合、ガイドパイプ５の先端が固定される一対の折り曲げ片２ｈも、ガイドパイプ５の先端の斜め形状に沿って斜めに切断された形状を有していることが好ましい。
【００６９】
また、図３に示すように、ガイドパイプ５を構成するコイルパイプの素線の先端５ｔは、ガイドパイプ５の先端を一対の折り曲げ片２ｈに固定した後、径方向Ｋの外側、即ち、開口２ｋ側に位置している方が好ましい。
【００７０】
このことによれば、ガイドパイプ５の先端及び一対の折り曲げ片２ｈが、径方向Ｋの内側が外側よりも後方に位置するよう斜めに切断されているばかりか、コイルパイプの先端５ｔが径方向Ｋの外側に位置していることから、ワイヤ９の牽引弛緩に伴って湾曲部３０を湾曲させる際、挿入方向Ｓに進退するワイヤ９がガイドパイプ５の先端の端面における内側に引っ掛かってしまうことを防ぐことができるため、ワイヤ９が損傷されてしまうことを防ぐことができる。
【符号の説明】
【００７１】
１…口金
２ｇ…口金の前半部の外周部
２ｈ…一対の折り曲げ片
２ｈａ…一対の折り曲げ片の一方
２ｈｂ…一対の折り曲げ片の他方
２ｋ…口金の前半部の開口
２ｎ…口金の前半部の内周面
５…ガイドパイプ
９…ワイヤ
１０…内視鏡
３０…湾曲部
４０…可撓管部
５０…挿入部
Ｃ…周方向
Ｋ…径方向
Ｓ…挿入方向
【図１】
2013223655.tif 000003
【図２】
2013223655.tif 000004
【図３】
2013223655.tif 000005
【図４】
2013223655.tif 000006
【図５】
2013223655.tif 000007
【図６】
2013223655.tif 000008
【図７】
2013223655.tif 000009